(57)【要約】【課題】電線に対する端子の保持力が高い端子付き電線を提供する。【解決手段】芯線を絶縁被覆で覆った電線と、前記電線の端末に接続される端子と、を備えた端子付き電線であって、前記端子は、前記電線の延び方向と交差する方向に延出して形成され、前記絶縁被覆の外周面に圧着される圧着片を備えており、前記圧着片のうち前記絶縁被覆側に配される面に凹部が設けられており、前記芯線のうち前記圧着片が圧着された圧着領域の下記式（１）で表される圧縮率が、７０％以上１００％未満である。  圧縮率＝｛（圧着後の電線の断面積）／（圧着前の電線の断面積）｝×１００（％）…（１）【選択図】図３
2017220392.tif 000002
【特許請求の範囲】
【請求項１】
芯線を絶縁被覆で覆った電線と、前記電線の端末に接続される端子と、を備えた端子付き電線であって、
前記端子は、前記電線の延び方向と交差する方向に延出して形成され、前記絶縁被覆の外周面に圧着される圧着片を備えており、
前記圧着片のうち前記絶縁被覆側に配される面に凹部が設けられており、
前記芯線のうち前記圧着片が圧着された圧着領域の下記式（１）で表される圧縮率が、７０％以上１００％未満である端子付き電線。
圧縮率＝｛（圧着後の電線の断面積）／（圧着前の電線の断面積）｝×１００（％）…（１）
【請求項２】
前記凹部は、前記電線の延び方向と交差する方向に延びる溝である請求項１に記載の端子付き電線。
【請求項３】
前記芯線はアルミニウム又はアルミニウム合金からなる請求項１または請求項２に記載の端子付き電線。
【発明の詳細な説明】
【技術分野】
【０００１】
本明細書で開示される技術は、端子付き電線に関する。
【背景技術】
【０００２】
従来、自動車等のワイヤーハーネス等の分野においては、電線の端末に端子が接続された端子付き電線が使用されている。具体的には、電線の絶縁被覆の端末が皮剥ぎされて芯線の端末が露出され、この露出された芯線の端末に対して、端子に設けられたワイヤバレル（電線接続部）が圧着されて接続され、残った絶縁被覆の端末に、ワイヤバレルの後方に設けられたインシュレーションバレルが圧着されるようになっている。
【先行技術文献】
【特許文献】
【０００３】
【特許文献１】特開２０１１−１９２５３０号公報
【発明の概要】
【発明が解決しようとする課題】
【０００４】
しかしながら、上述した従来の構成では端子の電線に対する保持力が充分でなく、電線に端子から引き抜く方向の力が加えられた場合に、比較的簡単に電線が端子から外れてしまうことがあった。
【０００５】
そこで、端子の電線に対する保持力を高めるべく、インシュレーションバレルを絶縁被覆に対して高圧縮（強い力）で圧着することが考えられる。しかし、インシュレーションバレルの圧縮率を低くしても（高圧縮としても）、未だ保持力が充分であるとは言い難く、さらなる保持力の向上が要望されている。
【０００６】
本明細書に示される技術は上記の課題に鑑みて考えられたものであって、電線に対する端子の保持力が高い端子付き電線を提供すること目的とする。
【課題を解決するための手段】
【０００７】
本明細書に開示される技術は、芯線を絶縁被覆で覆った電線と、前記電線の端末に接続される端子と、を備えた端子付き電線であって、前記端子は、前記電線の延び方向と交差する方向に延出して形成され、前記絶縁被覆の外周面に圧着される圧着片を備えており、前記圧着片のうち前記絶縁被覆側に配される面に凹部が設けられており、前記芯線のうち前記圧着片が圧着された圧着領域の下記式（１）で表される圧縮率が、７０％以上１００％未満である。
【０００８】
圧縮率＝｛（圧着後の電線の断面積）／（圧着前の電線の断面積）｝×１００（％）…（１）
このような端子付き電線によれば、凹部が設けられていない形態の端子を使用する場合と比較して、電線に対する端子の保持力が高い端子付き電線を得ることができる。
【０００９】
そのメカニズムは、以下のように推察される。すなわち、凹部が設けられたインシュレーションバレルを電線の絶縁被覆に圧着した場合には、凹部の縁部が絶縁被覆に食い込むため、インシュレーションバレルと絶縁被覆との間が滑り難くなり、凹部が形成されていない従来の端子と比較して、同等の圧縮率とした場合に、より良好な固着力が得られるものと考えられる。
【００１０】
ところで、圧着片を強い力で圧着すると、圧着領域の内側に配されている芯線が押し潰されて損傷し、断線する虞がある。しかし上述した構成によれば、絶縁被覆のうち凹部に隣接する部分は、圧着片により圧縮される際に凹部の中に逃げるため、絶縁被覆の内側に配されている芯線に対して絶縁被覆から過剰な応力がかかることが抑制される。
【００１１】
なお圧縮率は、７０％以上１００％未満であることが好ましいが、８０％〜９０％の範囲内であることがより好ましい。
【００１２】
上記端子付き電線は、以下の構成を備えていてもよい。
【００１３】
凹部は、電線の延び方向と交差する方向に延びる溝であってもよい。
【００１４】
このような構成によれば、溝の開口の比較的長い孔縁が絶縁被覆に食い込むこととなり、端子と絶縁被覆とがより滑り難くなるから、端子の電線に対する保持力が向上する。
【００１５】
また、芯線はアルミニウム又はアルミニウム合金製であってもよい。アルミ電線は芯線の伸びが少ないため滑り難く、より高い保持力が得られる。
【発明の効果】
【００１６】
本明細書に開示した技術によれば、電線に対する端子の保持力が高い端子付き電線を得ることができる。
【図面の簡単な説明】
【００１７】
【図１】一実施形態の端子付き電線の側面図
【図２】雌端子の斜視図
【図３】雌端子の一部拡大平面図
【図４】圧縮率と固着力の関係を示すグラフ
【図５】実験サンプルの断面写真
【発明を実施するための形態】
【００１８】
一実施形態について図１ないし図５を参照して説明する。
【００１９】
本実施形態は、例えば車両に配策される端子付き電線３０を例示しており、この端子付き電線３０は、雌端子１０と、雌端子１０に接続されて雌端子１０から後方に引き出される電線２０とを備えて構成されている（図１参照）。なお、以下の説明では、図１における左側を前方、右側を後方、上側を上方と、下側を下方とする。また、図２における右下を左、左上を右とする。
【００２０】
電線２０は、例えばアルミニウムまたはアルミニウム合金製の素線を複数本撚り合わせた撚り線によって芯線２１を形成し、この芯線２１が合成樹脂製の絶縁被覆２２により覆われた構造となっている。電線２０は、端末の絶縁被覆２２が皮剥ぎされて、芯線２１が絶縁被覆２２から前方に露出しており、この端末に雌端子１０が接続されている。
【００２１】
雌端子１０は、銅合金からなる基材を打ち抜いて曲げ加工等を施すことにより形成されており、図１に示すように、端子接続部１１と、電線２０の芯線２１に接続されるワイヤバレル１２と、電線２０の絶縁被覆２２に圧着されるインシュレーションバレル１４と、ワイヤバレル１２とインシュレーションバレル１４との間を繋ぐ繋ぎ部１３と、を有している。端子接続部１１は、角筒状をなす箱状に成形されており、その内部に図示しない雄端子のタブが挿入され、電気的に接続されるようになっている。
【００２２】
ワイヤバレル１２はオープンバレル形式であって、図２に示すように、左右に伸びる一対のワイヤバレル片１２Ｂが底板部１２Ａの左右の側縁から互いに対向するようにして立ち上がっている。これらワイヤバレル片１２Ｂは、電線２０の前端部において絶縁被覆２２から露出する芯線２１に対して内向きに巻き込まれる形で加締められることで、当該芯線２１に圧着され、電気的に接続される。
【００２３】
一方、インシュレーションバレル１４は同じくオープンバレル形式であって、繋ぎ部１３を挟んでワイヤバレル１２の後方に設けられており、左右対称な同形同大の略矩形状の一対のインシュレーションバレル片１４Ｂ（圧着片の一例）が、底板部１４Ａの左右の側縁から左右対称となる位置において延出されて互いに対向するように立ち上がっている。言い換えると、一対のインシュレーションバレル片１４Ｂは、底板部１４Ａから電線２０の延び方向（前後方向）と交差する左右方向に延出した形態とされている。
【００２４】
本実施形態のインシュレーションバレル１４のうち内側の面、すなわち、電線２０の絶縁被覆２２の外周面に圧着される面には、電線２０の延び方向とほぼ直交する方向に連続的に延びる溝部１４Ｃ（凹部の一例）が設けられている（図３参照）。
【００２５】
また一対のインシュレーションバレル片１４Ｂの先端部分のうち、絶縁被覆２２に圧着された状態において外側に配される面の先端縁部の角部は、図２に示すように、電線２０の延び方向（前後方向）に沿って延びるように斜めに切り欠かれており、先細とされている。
【００２６】
これら一対のインシュレーションバレル片１４Ｂは、底板部１４Ａに載置された電線２０の絶縁被覆２２の外周に巻き付けられ、絶縁被覆２２の外周面に対して径方向に圧着されるようになっている。また、絶縁被覆２２に圧着される際には、互いの先端部分が重なり合う、いわゆる、オーバーラップ形態で圧着されるようになっている。
【００２７】
続いて、雌端子１０および電線２０を組み付ける手順について説明する。まず、ワイヤバレル１２およびインシュレーションバレル１４の底板部１２Ａ、１４Ａ、および、繋ぎ部１３の上面に、端末において絶縁被覆２２が皮剥ぎされて芯線２１が露出した電線２０を載置する。ここで、電線２０は、繋ぎ部１３上に芯線２１と絶縁被覆２２との境界部分が配されるように載置され、雌端子１０に対する電線２０の前後方向の位置が決定される。
【００２８】
次に、ワイヤバレル１２における一対のワイヤバレル片１２Ｂを電線２０の芯線２１に対して内側に巻き込むようにして圧着すると共に、インシュレーションバレル１４における一対のインシュレーションバレル片１４Ｂを電線２０の絶縁被覆２２に巻き付けるようにして圧着する。
【００２９】
この圧着の過程において、絶縁被覆２２に対してインシュレーションバレル１４を圧着する際には、一対のインシュレーションバレル片１４Ｂを、それらの先端部分が互いに重ね合わされるように、絶縁被覆２２の外周に巻きつけつつ加締める。
【００３０】
以上のように、芯線２１に対してワイヤバレル１２が圧着固定され、絶縁被覆２２に対してインシュレーションバレル１４が圧着固定されることで、電線２０に対して雌端子１０が取り付けられた端子付き電線３０が得られる。
【００３１】
＜実験例＞
以下、実験例を挙げて本実施形態をさらに詳細に説明する。銅合金を含む銅部材からなる厚さ０．２５ｍｍの金属板材をプレス加工することにより、上述した端子１０を形成した。溝部１４Ｃは、底面から孔縁に向かう溝壁が孔縁に向けてやや拡開する傾斜状とし、孔縁における溝幅を０．１５ｍｍ、溝深さを０．０７５ｍｍとした。
【００３２】
アルミニウム合金からなる断面積０．５ｍｍ２の芯線２１を備えた電線２０の芯線２１に、この端子１０のワイヤバレル１２を圧着するとともに、絶縁被覆２２に、インシュレーションバレル１４を圧着し、インシュレーションバレル１４の圧縮率が異なる５種類の端子付き電線３０を作製した。インシュレーションバレル１４はオーバーラップ形態で圧着した。
【００３３】
サンプルは、インシュレーションバレル１４の圧縮率を５９％（比較例１）、７３％（実施例１）、８１％（実施例２）、８８％（実施例３）、９９％（実施例４）と変化させた５種類２５個とした。
【００３４】
また、溝部１４Ｃが形成されていない従来の端子を用いて、上述したサンプルと同じ圧縮率でインシュレーションバレルを圧着した比較用のサンプル（比較例２〜比較例５）を５種類２５個用意した。
【００３５】
なお、圧縮率とは、下記式（１）で定義される値のことである。
圧縮率＝｛（圧着後の電線の断面積）／（圧着前の電線の断面積）｝×１００（％）…（１）
【００３６】
上述したサンプルの端子と電線とをそれぞれ治具で把持し、引っ張り試験を実行した。試験速度は１００ｍｍ／ｍｉｎとし、端子から電線が離脱した時の応力を固着力の値とした。各サンプルの測定値（１〜５）、平均値（ＡＶＥ）、最大測定値の平均値との差（ＭＡＸ）、最小測定値の平均値との差（ＭＩＮ）を表１に、グラフを図４に、また断面の写真を図５に示した。
【００３７】
【表１】
2017220392.tif 000003
【００３８】
実験結果からわかるように、溝部１４Ｃを設けた本実施形態の端子付き電線３０によれば、溝部が設けられていない従来の形態の端子付き電線と比較して、同じ圧縮率で比較した場合に、いずれの圧縮率でもより高い固着力が得られること、すなわち、より高い電線の保持力が得られることがわかった。これは、溝部１４Ｃの孔縁が絶縁被覆２２に食い込み、インシュレーションバレル１４と絶縁被覆２２との間が滑り難くなるためと考えられる。
【００３９】
また、圧縮率が７０％以上１００％未満の範囲であると、いずれも固着力の値が１２６以上と良好であることがわかった。さらに、圧縮率は８０％〜９０％の範囲内である時が固着力が１４０Ｎと最も高く、より好ましいことがわかった。
【００４０】
一方、圧縮率が７０％より小さくなる（高圧縮になる）と、固着力は次第に低くなる。これは、溝部１４Ｃ内に逃がされていた絶縁被覆２２の逃げ場が次第になくなり、絶縁被覆２２および芯線２１に過剰な応力がかかって電線２０が潰れ、その結果、インシュレーションバレルから外れ易くなるためと考えられる。
【００４１】
また、実施例４（圧縮率９９％）のサンプルの固着力は、同圧縮率の従来のサンプル（比較例６）の固着力より高いだけでなく、従来のサンプルで得られた固着力の最高値（比較例４および比較例５）よりも高いことがわかる。このように本実施形態の端子付き電線３０では低圧縮の状態（圧縮率９９％）でも高い固着力が得られることから、溝部１４Ｃが固着力の向上に大いに寄与していることが確認できた。
【００４２】
＜他の実施形態＞
本明細書で開示される技術は上記記述及び図面によって説明した実施形態に限定されるものではなく、例えば次のような種々の態様も含まれる。
【００４３】
（１）上記実施形態では、雌端子１０を一例として示したが、絶縁被覆２２に圧着するインシュレーションバレルが設けられた雄端子など、インシュレーションバレルが設けられた端子全般に本明細書で開示した技術を広く適用できる。
【００４４】
（２）上記実施形態では、一対のインシュレーションバレル片１４Ｂをオーバーラップ形態で電線２０に圧着させる構成としたが、先端部分を互いに対向させるとともに突き合わせる形態としてもよい。
【００４５】
（３）あるいは、例えば一対のインシュレーションバレル片を電線２０の延び方向にずらして配し、前後の異なる位置で加締める形態のインシュレーションバレル等、他の形態のものに適用してもよい。
【００４６】
（４）上記実施形態ではアルミ電線２０を例示したが、銅合金からなる芯線を有する銅電線に適用してもよい。また、上記実施形態では撚り線を例示したが、各素線を撚り合わせてないストレート形状の芯線に適用してもよい。
【００４７】
（５）上記実施形態では、インシュレーションバレル１４に一本の溝部を設ける構成としたが、二本以上の溝部を設けてもよい。また、溝部に限らず、複数の短尺の凹部や凹凸状のセレーション等を設ける構成としてもよい。
【符号の説明】
【００４８】
１０…雌端子（端子）
１２…ワイヤバレル
１３…繋ぎ部
１４…インシュレーションバレル
１４Ｂ…インシュレーションバレル片（圧着片）
１４Ｃ…溝部（凹部）
２０…電線
２１…芯線
２２…絶縁被覆
３０…端子付き電線
【図１】
2017220392.tif 000004
【図２】
2017220392.tif 000005
【図３】
2017220392.tif 000006
【図４】
2017220392.tif 000007
【図５】
2017220392.tif 000008